(57)【要約】【課題】節電機能を有するローラスイッチを提供する。【解決手段】スイッチ１０、ローラ１１、発光部１２および受光部１３を備える。ローラ１１は、スイッチ１０に接触し、ローラ１１のハンドル１１０に少なくとも１つ以上の穿孔１１１を有し、カードを挿入するとローラ１１の枠１１２に当接して、スイッチ１０が押圧されてスイッチが入る。次いでカードが押圧されるとそれにつれてローラ１１が回転する。発光部１２は、ローラ１１の一方の側に配置され、光ビーム１５を出射し、これに対して受光部１３は、ローラ１１の他の側端に配置され、穿孔１１１を透過して光ビーム１５を受光し、パルス信号１６を発信する。パルス信号１６とカード１４の移動とは、対応する関係にある。【選択図】図１
2007287646.tif 000002
【特許請求の範囲】
【請求項１】
カードの挿入により起動するローラスイッチであって、
スイッチ、ローラ、発光部および受光部を備え、
前記ローラは、前記スイッチに接触して配置されると共にそのハンドルに１以上の穿孔を有し、
カードの挿入により前記ローラの枠が押圧されて前記スイッチが入ると共に、前記カードの挿入による移動により回転し、
前記発光部と受光部は、前記ローラを挟んで配置されて、上記のスイッチ動作により発光部から光ビームを出射して前記穿孔を透過した光ビームを受光部により受光し、前記カードの移動に伴う受光した光ビームの断続速度に対応するパルス信号を発信することを特徴とする、
ローラスイッチ。
【請求項２】
前記ローラの軸には延長軸が設けられて前記スイッチに接続されることを特徴とする請求項１に記載のローラスイッチ。
【請求項３】
前記カードが前記ローラの前記枠から離れると、前記スイッチが切れることを特徴とする請求項１に記載のローラスイッチ。
【請求項４】
前記発光部は、発光ダイオードであることを特徴とする請求項１に記載のローラスイッチ。
【請求項５】
前記受光部は、フォトトランジスタであることを特徴とする請求項１に記載のローラスイッチ。
【請求項６】
前記カードの前記移動速度が遅ければ遅いほど、前記パルス信号の周期は長くなることを特徴とする請求項１に記載のローラスイッチ。
【請求項７】
電源供給器、センサおよびパルス信号処理機を備え、該パルス信号処理機はパルス信号によりカード検出システムを稼動させ、前記センサによりカードを検出するカード検出システムに使用され、
カードの挿入により起動するローラスイッチであって、
スイッチ、ローラ、発光部および受光部を備え、
前記ローラは、前記スイッチに接触して配置されると共にそのハンドルに１以上の穿孔を有し、
カードの挿入により前記ローラの枠が押圧されて前記スイッチが入ると共に、前記カードの挿入による移動により回転し、
前記発光部と受光部は、前記ローラを挟んで配置されて、上記のスイッチ動作により電源が供給されて発光部から光ビームを出射して前記穿孔を透過した光ビームを受光部により受光し、前記カードの移動に伴う受光した光ビームの断続速度に対応するパルス信号を発信するローラスイッチ。
【請求項８】
前記ローラの軸には延長軸が設けられて、前記スイッチに接続されることを特徴とする請求項７に記載のローラスイッチ。
【請求項９】
前記カードが前記ローラの前記枠から離れると、前記スイッチが切れることを特徴とする請求項７に記載のローラスイッチ。
【請求項１０】
前記スイッチが前記電源供給器を制御し、前記パルス信号処理機およびセンサに電源を供給するのを制御することを特徴とする請求項７に記載のローラスイッチ。
【請求項１１】
前記発光部は、発光ダイオードであることを特徴とする請求項７に記載のローラスイッチ。
【請求項１２】
前記受光部は、フォトトランジスタであることを特徴とする請求項７に記載のローラスイッチ。
【請求項１３】
前記カードの前記移動速度が遅ければ遅いほど、前記パルス信号の周期は長くなることを特徴とする請求項７に記載のローラスイッチ。
【請求項１４】
前記パルス信号処理機は、前記パルス信号の上昇信号および下降信号により前記センサを稼動させることを特徴とする請求項７に記載のローラスイッチ。
【発明の詳細な説明】
【技術分野】
【０００１】
本発明は、ローラスイッチに関し、特に節電機能を有するローラスイッチに関する。
【背景技術】
【０００２】
現在、センサにより読み取りが行なわれるカードは、便利さにより人々に受け入れられ、その利用は日増しに増えている。タバコや酒の自動販売機のように、利用者（ユーザ）の年齢が購買できる年齢を超えているかどうか確認するために、センサを設置し購買者のＩＤカード上の資料を読み取るものもある。しかしながら、自動販売機は、使用頻度が低くても、センサは継続的に待機状態にあり、消費電力が増え、センサの寿命を短くしてしまう。また、自動販売機は、利用者が自から操作するため、カードが挿入されるスピードをコントロールすることができず、センサの精度に影響を及ぼすことがあった。また、従来技術では節電機能を有する自動販売機が求められていた。
【特許文献１】特開平６−１１９０９０号公報
【特許文献２】特開２００５−９４９８８号公報
【発明の開示】
【発明が解決しようとする課題】
【０００３】
本発明の目的は、カードが挿入されるスピードを検出し、節電機能を有し寿命延長が可能なローラスイッチを提供することにある。
【課題を解決するための手段】
【０００４】
上述の目的を達成するため、本発明は、ローラスイッチを提供する。本発明のローラスイッチは、スイッチ、ローラ、発光部および受光部を備える。ローラは、スイッチに接触し、ローラのハンドルに少なくとも１つ以上の穿孔を有し、カードの挿入によりローラの枠が圧迫され、スイッチが押される。ローラは、カードの移動により回転する。発光部は、ローラの一方の端に配置され、光ビームを出射する。受光部は、ローラの他方の端に配置され、穿孔を透過して光ビームを受光し、パルス信号を発信する。パルス信号とカードの移動とは、対応する関係にある。
【０００５】
本発明は、さらにもう一種のローラスイッチを提供する。スイッチ、ローラ、発光部および受光部を備えるローラスイッチは、電源供給器、センサおよびパルス信号処理機を有するカード検出システムに使用される。スイッチは、電源で電源供給器に接続され、電源供給器を制御する。ローラは、スイッチに接触し、ローラのハンドルに少なくとも１つ以上の穿孔を有し、カードの挿入によりローラの枠が圧迫され、スイッチが押され、電源供給器がパルス信号処理機およびセンサに電源を供給するのを制御する。ローラは、カードの移動により回転する。発光部は、ローラの一方の端に配置され、光ビームを出射する。受光部は、ローラの他方の端に配置され、穿孔を透過して光ビームを受光し、光ビームに応じてパルス信号を発信する。パルス信号とカードの移動とは、対応する関係にある。受光部は、パルス信号処理機にパルス信号を送信し、パルス信号処理機は、受信したパルス信号によりカード検出システムを稼動させ、カードを検出する。カードがローラから離れると、スイッチが切れることにより電源供給器が電源を供給するのを停止する。
【発明の効果】
【０００６】
カードが挿入されるとローラスイッチが電源供給器を制御して、電力を供給する。カードが抜き取られると、ローラスイッチが電源供給器を制御して電源の供給を停止する。このことにより、節電機能およびデバイスの使用期限を延長する目的を達することができる。また、ローラスイッチが発信するパルス信号は、カードの移動に対応した関係であり、カードの読み取り精度を上げることができる。
【発明を実施するための最良の形態】
【０００７】
以下、本発明の実施形態を図面に基づいて説明する。図１および２は、本発明のローラスイッチの好適な一実施形態を示す概念図である。そのうち図２は、カードを挿入する状態を示し、ローラスイッチがカード検出システムに利用されている。ローラスイッチ１は、スイッチ１０、ローラ１１、発光部１２および受光部１３を備える。ローラ１１とスイッチ１０とは接触しており、ローラ１１のハンドル１１０は少なくとも１つ以上の穿孔１１１を有し、カード１４（図２に示す）の挿入によりローラ１１の枠１１２が押圧され、スイッチ１０（図２に示す）が押される。ローラ１１は、カード１４の移動により回転する。発光部１２は、ローラ１１の一方の端に配置され、光ビーム１５を出射する。受光部１３は、ローラ１１のもう他方の端に配置され、穿孔１１１を透過して光ビーム１５を受光し、パルス信号１６を発信する。
【０００８】
図２によると、カード検出システム２は、ローラスイッチ１、電源供給器２１、センサ２２およびパルス信号処理機２３を備える。スイッチ１０は、電源供給器２１に電気的に接続されており、電源供給器２１を制御する。カード１４の挿入によりローラ１１の枠１１２が押圧され、スイッチ１０のボタンが押されて、電源供給器２１が電源２４をパルス信号処理機２３およびセンサ２２に供給する。続いて受光部１３がパルス信号処理機２３にパルス信号１６を送信し、パルス信号処理機２３はパルス信号１６に応じてセンサ２２を稼動させカード１４を読み取る。カード１４がローラ１１から離れると、ローラ１１はスイッチ１０に対して押圧を停止し、スイッチ１０が切られ、パルス信号処理機２３に制御信号を送信し、電源供給器２１はパルス信号処理機２３およびセンサ２２に電源２４を供給するのを停止する。
【０００９】
図３は、本発明の一実施形態のパルス信号を示す図である。ローラ１１の枠１１２は、カード１４に接触するために用いられ、カード１４が移動する時、枠１１２との摩擦によりローラ１１が回転させられせる。ローラ１１が回転する時、ローラ１１のハンドル１１０が光ビーム１５を遮光し、ハンドル１１０上の穿孔１１１は、光ビーム１５を透過させ、これらによりセンサ２２に断続的に光ビーム１５を受光させる。受光部１３は、受光した光ビーム１５に応じて、パルス信号１６を発信する。例えば、受光部１３が光ビーム１５を受光すると、パルス信号３０の高電位部分３０１のような高電位信号を発信し、受光部１３が光ビーム１５を受光しなかった場合、パルス信号３０の低電位部分３０２のような低電位信号を発信する。パルス信号３０が比較的長い周期を有するのは、カード１４の比較的ゆっくりした移動によるものである。上記の過程により、受光部１３は、カード１４の移動に対応するパルス信号１６を発生し、パルス信号処理機２３に送信する。パルス信号処理機２３は、パルス信号１６を受信するが、パルス信号３０の下降部分３０３のように、パルス信号１６が高電位信号から低電位信号に変わったり、パルス信号３０の上昇部分３０４のように、低電位信号から高電位信号に変わったりすると、パルス信号処理機２３はセンサ２２を稼動させ、カード１４を読み取る。もし、パルス信号１６の周期が比較的短い場合、センサ２２は比較的早い周波数でカード１４を読み取る。光ビーム１５の移動速度の速い、遅い応じて、パルス信号処理機２３は、パルス信号１６に基づき、正確にローラスイッチ４の相対的位置を示す信号を読み取り、カード１４の真偽の識別およびＩＤ資料の認証を行なうことができる。
【００１０】
図４および５は、本発明のローラスイッチの好適な一実施形態を示す立体斜視図である。図６は、本発明のローラスイッチの好適な一実施形態を示す側面図である。図４において、ローラスイッチ４はスイッチ４０、ローラ４１、発光ダイオード４２およびフォトトランジスタ４３を備える。図５のように、ローラ４１は、基板４５の溝４６に配置されている。ローラ４１の軸には延長軸４４が形成され、延長軸４４はスイッチ４０に接続されていて、カード１４の挿入によりローラ４１の枠４１０を押圧すると、延長軸４４はスイッチ４０のボタンを押し付け、スイッチ４０を入れる。カード１４がローラ４１を離れると、延長軸４４はスイッチ４０への押圧を停止し、スイッチ４０のボタンは元の位置に戻り、スイッチ４０は切られる。図６に示すように、ローラ４１のハンドル上には少なくとも１つ以上の穿孔４７があり、フォトトランジスタ４３は穿孔４７を介して発光ダイオード４２の出射する光ビームを受光する。ローラ４１の回転中、フォトトランジスタ４３は断続的に光ビームを受光し、受光した光ビームに応じてパルス信号を発信する。
【００１１】
本発明では好適な実施形態を前述の通りに開示したが、これらは決して本発明を限定するものではなく、当該技術を熟知する者は誰でも、本発明の精神と領域を脱しない範囲内で各種の変更や修正を加えることができる。従って、本発明の保護の範囲は、特許請求の範囲で指定した内容を基準とする。
【図面の簡単な説明】
【００１２】
【図１】本発明の一実施形態によるローラスイッチを示すブロック図である。
【図２】本発明の一実施形態によるローラスイッチを示すブロック図である。
【図３】本発明の一実施形態によるパルス信号を示す図である。
【図４】本発明の好適な一実施形態によるローラスイッチを示す立体図である。
【図５】本発明の好適な一実施形態によるローラスイッチを示す立体図である。
【図６】本発明の好適な一実施形態によるローラスイッチを示す側面図である。
【符号の説明】
【００１３】
１  ローラスイッチ
１０  スイッチ
１１  ローラ
１１０  ハンドル
１１１  穿孔
１１２  枠
１２  発光部
１３  受光部
１４  カード
１５  光ビーム
１６  パルス信号
２  カード検出システム
２１  電源供給器
２２  センサ
２３  パルス信号処理機
２４  電源
３０  パルス信号
３０１  高電位部分
３０２  低電位部分
３０３  下降部分
３０４  上昇部分
３１  パルス信号
４  ローラスイッチ
４０  スイッチ
４１  ローラ
４１０  枠
４２  発光ダイオード
４３  フォトトランジスタ
４４  延長軸
４５  基板
４６  溝
４７  穿孔
【図１】
2007287646.tif 000003
【図２】
2007287646.tif 000004
【図３】
2007287646.tif 000005
【図４】
2007287646.tif 000006
【図５】
2007287646.tif 000007
【図６】
2007287646.tif 000008